(57)【要約】      （修正有）【課題】揮発性薬剤の終点時期を簡便に明らかにすることができるインジケーターを備えたケースを提供する。【解決手段】虫除け効果等を有する揮発性薬剤を保持して蒸散させるためのケース１であって、ケース１は、揮発性薬剤の終点時期を示すインジケーター４を備えており、インジケーター４は、ケース１に回転可能に取り付けられたディスクプレート５を含み、ディスクプレート５の表面には、２組の文字列が、同心円状に配置されており、一方の組の文字列を使用開始時期に合わせるように、ディスクプレート５を回転させて位置決めすると、他方の組の文字列によって終点時期が自動的に表示されるケース。【選択図】図１
2020068735.tif 000002
【特許請求の範囲】
【請求項１】
虫除け効果等を有する揮発性薬剤を保持して蒸散させるためのケースであって、前記ケースは、前記揮発性薬剤の終点時期を示すインジケーターを備えており、前記インジケーターは、前記ケースに回転可能に取り付けられたディスクプレートを含み、前記ディスクプレートの表面には、２組の文字列が、同心円状に配置されており、一方の組の文字列を使用開始時期に合わせるように、前記ディスクプレートを回転させて位置決めすると、他方の組の文字列によって終点時期が自動的に表示される、ケース。
【請求項２】
前記ケースは、前記ディスクプレートの前記２組の文字列にそれぞれ対応する位置に表示用開口部を有しており、前記表示用開口部は、それぞれ前記ディスクプレートの面積に対して２％以上の面積を有しており、前記表示用開口部を通して前記使用開始時期および前記終点時期を確認できるようになっている、請求項１に記載のケース。
【請求項３】
前記表示用開口部は、前記ディスクプレートに近い面よりも遠い面において開口面積が大きくなるように、テーパーを付けられている、請求項２に記載のケース。
【発明の詳細な説明】
【技術分野】
【０００１】
本発明は、虫除け効果等を有する揮発性薬剤を保持して蒸散させるためのケースに関する。
【背景技術】
【０００２】
ネット等の薬剤保持体に揮発性薬剤を保持して蒸散させ、虫除け効果を有する製品がある。これらは、トランスフルトリン等の自然蒸散性をもつ高蒸気圧薬剤を使用し、飛翔害虫の家屋内への侵入等を防止するものである。これらの製品は、有効成分が自然蒸散するものであるが、終点時期を外観から判断できないため、別途終点時期を知らせるインジケーターが必要となる。これまで、終了時に取り替えの文字が現れる水筆式、揮散溶剤が透過性フィルムを通して揮散し、液の残量によって終点時期を知らせる液体式等が検討されている（例えば、特許文献１及び２）。
【０００３】
しかし、これらは使用環境によっては、終点がはっきりしない場合があることが課題であった。また使用者が終点時期を記入するシールタイプのものでは、開始時期から終点時期を計算する必要があるため、手間がかかることが課題であった。
【先行技術文献】
【特許文献】
【０００４】
【特許文献１】特開２０１４−０９４７５２号公報
【特許文献２】特開２０１１−１３５８２５号公報
【発明の概要】
【発明が解決しようとする課題】
【０００５】
そこで、本発明は、虫除け効果等をもつ揮発性薬剤の終点時期を簡便に明らかにすることができるインジケーターを備えたケースを提供することを目的とする。
【課題を解決するための手段】
【０００６】
上記課題を解決するため、本発明は、虫除け効果等を有する揮発性薬剤を保持して蒸散させるためのケースであって、前記ケースは、前記揮発性薬剤の終点時期を示すインジケーターを備えており、前記インジケーターは、前記ケースに回転可能に取り付けられたディスクプレートを含み、前記ディスクプレートの表面には、２組の文字列が、同心円状に配置されており、一方の組の文字列を使用開始時期に合わせるように、前記ディスクプレートを回転させて位置決めすると、他方の組の文字列によって終点時期が自動的に表示される。
【０００７】
また、本発明の別の形態では、前記文字列は、１〜１２の数字の列であり、前記使用開始時期は、使用開始月であり、前記交換時期は、交換月である。
【０００８】
また、本発明の別の形態では、前記ディスクプレートの直径は、前記ケースの最短辺よりも小さく、前記ディスクプレートの面積は、前記揮発性薬剤を保持する薬剤保持体の面積の６５％以下である。
【０００９】
また、本発明の別の形態では、前記ディスクプレートに配置される文字は、前記ディスクプレートの表面に対して凸になっており、前記文字の横幅は、０．３ｍｍ以上であり、前記文字の高さは、０．２ｍｍ以上である。
【００１０】
また、本発明の別の形態では、前記ケースは、前記ディスクプレートの前記２組の文字列にそれぞれ対応する位置に表示用開口部を有しており、前記表示用開口部は、それぞれ前記ディスクプレートの面積に対して２％以上の面積を有しており、前記表示用開口部を通して前記使用開始時期および前記終点時期を確認できるようになっている。
【００１１】
また、本発明の別の形態では、前記ケースにおいて、前記ディスクプレートが取り付けられる領域は、前記ケースの本体部とは別個の嵌合パーツから構成されており、前記表示用開口部は、前記嵌合パーツに設けられている。
【００１２】
また、本発明の別の形態では、前記表示用開口部は、前記ディスクプレートに近い面よりも遠い面において開口面積が大きくなるように、テーパーを付けられている。
【００１３】
また、本発明の別の形態では、前記ディスクプレートの外周は、連続した凸凹形状になっており、前記ディスクプレートが歯車形状となっている。
【００１４】
また、本発明の別の形態では、前記ディスクプレートは、１０°回転する毎に、使用者にクリック感が伝わるように構成されている。
【００１５】
また、本発明の別の形態では、前記ディスクプレートの表面に刻印された前記文字は、シボ加工が施されており、前記文字以外の部分は、無加工であるかまたは鏡面加工が施されている。
【００１６】
また、本発明の別の形態では、前記ディスクプレートの表面に刻印された前記文字は、無加工であるかまたは鏡面加工が施されており、前記文字以外の部分は、シボ加工が施されている。
【図面の簡単な説明】
【００１７】
【図１】本発明の一実施形態による、虫除け効果等を有する揮発性薬剤を保持して蒸散させるためのケースを示す全体斜視図である。
【図２】本実施形態による、薬剤保持体が入れられた状態のケースの正面図である。
【発明を実施するための形態】
【００１８】
図１は、本発明の一実施形態による、虫除け効果等を有する揮発性薬剤を保持して蒸散させるためのケース１を示す全体斜視図である。ケース１は、揮発性薬剤を含浸させたネット等の薬剤保持体（図１には図示せず）を収容するための収容部２を含む。収容部２には、蒸散用開口部３が設けられており、蒸散用開口部３を通って薬剤が薬剤保持体から大気中へ蒸散できるようになっている。ケース１は、揮発性薬剤の終点時期を示すインジケーター４を備えている。インジケーター４は、ケース１に回転可能に取り付けられたディスクプレート５を含む。図２は、本実施形態によるケースの正面図を示している。図２では、薬剤保持体８が収容部２に入れられた状態で示されている。ディスクプレート５の表面には、２組の文字列６、７が、同心円状に配置されている。一方の組の文字列６を使用開始時期に合わせるように、ディスクプレート５を回転させて位置決めすると、他方の組の文字列７によって終点時期が自動的に表示されるようになっている。
【００１９】
図２に示されている実施形態によれば、文字列６、７は、１〜１２の数字の列になっている。１〜１２の数字は、１〜１２月に対応しており、使用開始時期は使用開始月を示し、終点時期は終点月を示すこととなる。
また、文字列としては、１〜１２の数字の列以外にも、終点時期に関する任意の文字が考えられる。例えば、終点時期が年をまたぐ場合には、年号を記載することも可能である。また、月単位以上に詳細な時期を示したい場合には、日付、上旬、中旬、下旬等を記載してもよい。また、春、夏、秋、冬等の記載を使用してもよい。
【００２０】
また、使用開始時期と終点時期との間の差は、任意の値となるように設定することが可能である。例えば、その差が常に一定となるように設定することが可能である（例えば、９ヶ月等）。また、使用時期に応じて、蒸散速度が異なる場合には、その差を変化させて設定してもよい。
【００２１】
ディスクプレート５の直径は、ケース１の最短辺よりも小さく、ディスクプレート５の面積は、揮発性薬剤を保持する薬剤保持体８の面積の６５％以下であることが好ましい。ディスクプレート５が蒸散用開口部３と重なることによって薬剤保持体８の露出面積が減り過ぎると、蒸散量が減少し、虫除け効果が低下するからである。
【００２２】
薬剤保持体８としては、例えば、ネット、シート、デングリ等の表面積が大きく、通気性のよい形態とするのがよい。薬剤保持体８は、例えば、パルプ、繊維、プラスチック等の材料から製造されたものを用いることができる。
【００２３】
薬剤保持体８には、所期の効果に応じて、例えば、殺虫剤、忌避剤（虫除け剤）、芳香剤、消臭剤等の各種有効成分を含浸、練りこみ等により保持させればよい。また必要に応じて、溶剤、安定化剤、揮散調整剤、色素等を併用してもよい。
【００２４】
ディスクプレート５に配置される文字６、７は、ディスクプレートの表面に対して凸になっており、文字６、７の横幅は、０．３ｍｍ以上であり、文字６、７の高さは、０．２ｍｍ以上であることが好ましい。これにより、文字の視認性が向上する。
【００２５】
ケース１は、ディスクプレート５の２組の文字列６、７にそれぞれ対応する位置に表示用開口部９、１０を有しており、表示用開口部９、１０は、それぞれディスクプレート５の面積に対して２％以上の面積を有しており、表示用開口部９、１０を通して使用開始時期および終点時期を確認できるようになっている。
【００２６】
ケースにおいて、ディスクプレート５が取り付けられる領域は、ケースの本体部とは別個の嵌合パーツ１１から構成されており、表示用開口部は、嵌合パーツ１１に設けられている。この構成によって、ケースの本外部から嵌合パーツ１１だけ取り外すことができ、取り扱いがしやすい場合もある。ケースの本体部と嵌合パーツ１１を一体に成形してもよい。
【００２７】
表示用開口部９、１０は、ディスクプレート５に近い面よりも遠い面において開口面積が大きくなるように、テーパーを付けられている。この構成により、ケースに対して斜めの角度からも文字が見やすくなり、視認性が向上する。
【００２８】
ディスクプレート５の外周は、連続した凸凹形状になっており、ディスクプレート５が歯車形状となっている。この構成により、ディスクプレートを指で回転させるときに滑りにくくなる。
【００２９】
ディスクプレートは、例えば１０°回転する毎に、使用者にクリック感が伝わるように構成されている。例えば、この構成は、ディスクプレート５上に円周方向に１０°刻みの突起を設け、その突起に係止される対応突起を嵌合パーツ１１側に設けることによって実現できる。逆に、嵌合パーツ１１上に円周方向に１０°刻みの突起を設け、その突起に係止される対応突起をディスクプレート５側に設けてもよい。この構成により、使用者の操作感覚が向上し、ディスクプレートが設定された位置からずれることを防止する効果もある。
【００３０】
ディスクプレートの表面に刻印された文字は、シボ加工が施されており、文字以外の部分は、無加工であるかまたは鏡面加工が施されていてもよい。この構成により、文字の視認性が向上する。
【００３１】
また、ディスクプレートの表面に刻印された前記文字は、無加工であるかまたは鏡面加工が施されており、前記文字以外の部分は、シボ加工が施されていてもよい。この構成により、文字の視認性が向上する。
【符号の説明】
【００３２】
１  ケース
２  収容部
３  蒸散用開口部
４  インジケーター
５  ディスクプレート
６、７  文字列
８  薬剤保持体
９、１０  表示用開口部
１１  嵌合パーツ
【図１】
2020068735.tif 000003
【図２】
2020068735.tif 000004